(57)【要約】【課題】ディスプレイを具備しなくともユーザーにステータス（エラーを含む現在の状態）を知らせることができる画像読取装置を提供すること。【解決手段】画像読取装置１では、複数の目盛ＨＳ，ＬＳのうち当該画像読取装置１のステータスを示す目盛がある位置にキャリッジ４を移動させることから、ディスプレイを具備しなくともユーザーにステータス（エラーを含む現在の状態）を知らせることができる。【選択図】図５
2015177507.tif 000002
【特許請求の範囲】
【請求項１】
筐体と、前記筐体に縁辺が囲まれた原稿台と、前記原稿台に沿って前記筐体の内側で往復動するキャリッジと、を有する画像読取装置であって、
前記原稿台の縁辺外で前記筐体の外側に設けられた複数の目盛と、
前記複数の目盛のうち当該画像読取装置のステータスを示す目盛がある位置に前記キャリアを移動させる制御手段と、を備えたこと、を特徴とする画像読取装置。
【請求項２】
請求項１に記載する画像読取装置であって、
前記制御手段はトリガーにより開始されること、を特徴とする画像読取装置。
【請求項３】
請求項２に記載する画像読取装置であって、
前記筐体の外側に設けられた入力装置を備え、
前記入力装置の操作が前記トリガーであること、を特徴とする画像読取装置。
【請求項４】
請求項２に記載する画像読取装置であって、
当該画像読取装置のステータスの種別毎に対応させた複数の入力装置を前記筐体の外側に設け、
前記制御手段は、前記複数の入力装置のうち操作が行われた入力装置に対応する種別のステータスを扱うこと、を特徴とする画像読取装置。
【請求項５】
請求項２に記載する画像読取装置であって、
当該画像読取装置のエラー発生が前記トリガーであること、を特徴とする画像読取装置。
【請求項６】
請求項３に記載する画像読取装置であって、
前記制御手段は、前記入力装置の操作回数に対応する種別のステータスを扱うこと、を特徴とする画像読取装置。
【発明の詳細な説明】
【技術分野】
【０００１】
本発明は、画像を読み取るためにキャリッジを移動させる画像読取装置に関するものである。
【背景技術】
【０００２】
従来より、下記特許文献１に記載の通信装置では、形状変形機能を具備することで、不都合状態をユーザーに容易に知らせることができる。これにより、信頼性をより高いものにできる。
【先行技術文献】
【特許文献】
【０００３】
【特許文献１】特開平７−１３１５７４号公報
【発明の概要】
【発明が解決しようとする課題】
【０００４】
しかしながら、サイズや価格を抑制する観点からディスプレイを省いた画像読取装置では、下記特許文献１に記載の形状変形機能を具備することは、サイズや価格を抑制しようとした上述の前提と矛盾し、ディスプレイを省いたことを無意味にする。
【０００５】
そこで、本発明は、上述した点を鑑みてなされたものであり、ディスプレイを具備しなくともユーザーにステータス（エラーを含む現在の状態）を知らせることができる画像読取装置を提供することを課題とする。
【課題を解決するための手段】
【０００６】
この課題を解決するためになされた請求項１に係る発明は、筐体と、前記筐体に縁辺が囲まれた原稿台と、前記原稿台に沿って前記筐体の内側で往復動するキャリッジと、を有する画像読取装置であって、前記原稿台の縁辺外で前記筐体の外側に設けられた複数の目盛と、前記複数の目盛のうち当該画像読取装置のステータスを示す目盛がある位置に前記キャリアを移動させる制御手段と、を備えたこと、を特徴とする。
【０００７】
また、請求項２に係る発明は、請求項１に記載する画像読取装置であって、前記制御手段はトリガーにより開始されること、を特徴とする。
【０００８】
また、請求項３に係る発明は、請求項２に記載する画像読取装置であって、前記筐体の外側に設けられた入力装置を備え、前記入力装置の操作が前記トリガーであること、を特徴とする。
【０００９】
また、請求項４に係る発明は、請求項２に記載する画像読取装置であって、当該画像読取装置のステータスの種別毎に対応させた複数の入力装置を前記筐体の外側に設け、前記制御手段は、前記複数の入力装置のうち操作が行われた入力装置に対応する種別のステータスを扱うこと、を特徴とする。
【００１０】
また、請求項５に係る発明は、請求項２に記載する画像読取装置であって、当該画像読取装置のエラー発生が前記トリガーであること、を特徴とする。
【００１１】
また、請求項６に係る発明は、請求項３に記載する画像読取装置であって、前記制御手段は、前記入力装置の操作回数に対応する種別のステータスを扱うこと、を特徴とする。
【発明の効果】
【００１２】
すなわち、請求項１に係る発明である画像読取装置では、複数の目盛のうち当該画像読取装置のステータスを示す目盛がある位置にキャリアを移動させることから、ディスプレイを具備しなくともユーザーにステータス（エラーを含む現在の状態）を知らせることができる。
【００１３】
また、請求項２に係る発明である画像読取装置では、複数の目盛のうち当該画像読取装置のステータスを示す目盛がある位置にキャリアを移動させることを、トリガーにより開始することから、適切なタイミングで、ユーザーにステータス（エラーを含む現在の状態）を知らせることができる。
【００１４】
また、請求項３に係る発明である画像読取装置では、入力装置の操作がトリガーであることから、ユーザーにステータス（エラーを含む現在の状態）を知らせる適切なタイミングを、ユーザー自身が決めることができる。
【００１５】
また、請求項４に係る発明である画像読取装置では、複数の入力装置のうち操作が行われた入力装置に対応する種別のステータスを扱うことから、ユーザーに適切なタイミングで知らせるステータス（エラーを含む現在の状態）の種別を、ユーザー自身が決めることができる。
【００１６】
また、請求項５に係る発明である画像読取装置では、当該画像読取装置のエラー発生が起きると、エラーが起きた直後の適切なタイミングで、ユーザーにステータス（エラー）を知らせることができる。
【００１７】
また、請求項６に係る発明である画像読取装置では、入力装置の操作回数に対応する種別のステータスを扱うことから、ユーザーに適切なタイミングで知らせるステータス（エラーを含む現在の状態）の種別を、ユーザー自身が決めることができる。
【図面の簡単な説明】
【００１８】
【図１】本発明の一実施形態に係る画像読取装置を表した概略斜視図である。
【図２】同画像読取装置を表した平面図である。
【図３】同画像読取装置のブロック図である。
【図４】第１実施形態に係る画像読取装置のフローチャート図である。
【図５】同画像読取装置を表した平面図である。
【図６】第２実施形態に係る画像読取装置のフローチャート図である。
【図７】同画像読取装置を表した平面図である。
【図８】第３実施形態に係る画像読取装置のフローチャート図である。
【図９】同画像読取装置を表した平面図である。
【図１０】その他の実施形態に係る画像読取装置を表した平面図である。
【発明を実施するための形態】
【００１９】
［１．本発明の概略構成］
先ず、本発明の一実施形態に係る画像読取装置の概略構成について、図を参照しつつ説明する。図１に表すように、本実施形態に係る画像読取装置１は、筐体２と、筐体２に縁辺３Ａが囲まれた原稿台３と、原稿台３に沿って筐体２の内側で往復動するキャリッジ４と、を有している。
【００２０】
また、図２に表すように、本実施形態に係る画像読取装置１は、原稿台３の縁辺３Ａ外の上下において、筐体２の外側に設けられた複数の目盛ＨＳ，ＬＳを有している。
【００２１】
複数の目盛ＨＳには、「電池弱」の目盛ＨＳ１や、「通信エラー」の目盛ＨＳ２、「メモリフル」の目盛ＨＳ３、「充電エラー」の目盛ＨＳ４がある。「電池弱」や、「通信エラー」、「メモリフル」、「充電エラー」は、本実施形態に係る画像読取装置１のステータス（エラーを含む現在の状態）の種別を項目で表している。
【００２２】
複数の目盛ＬＳには、「０％」の目盛ＬＳ１や、「２５％」の目盛ＬＳ２、「５０％」の目盛ＬＳ３、「７５％」の目盛ＬＳ４、「１００％」の目盛ＬＳ５がある。「０％」や、「２５％」、「５０％」、「７５％」、「１００％」は、本実施形態に係る画像読取装置１のステータス（現在の状態）の度合いを百分率で表している。
【００２３】
また、本実施形態に係る画像読取装置１は、原稿台３の縁辺３Ａ外の右において、筐体２の外側に設けられたスキャンボタン５や、ステータスボタン６、各表示ランプ７，８，９を有している。各表示ランプ７，８，９は、ダイオードによるカラー発光が可能である。
【００２４】
尚、図１や図２に表すように、原稿台３の左端の位置が、キャリッジ４のホームポジションである。
【００２５】
また、本実施形態に係る画像読取装置１は、図３に表す制御装置１１を内蔵している。制御装置１１は、ＣＰＵ１２を有する。ＣＰＵ１２には、ＲＡＭ１３、ＲＯＭ１４、ＣＩＳ１５、通信インターフェイス１６、モータ１７、スイッチ１８、ＲＴＣ１９が接続されている。
【００２６】
ＣＰＵ１２は、本実施形態に係る画像読取装置１における各種制御の中枢を担う中央演算処理装置である。ＲＡＭ１３は、ＣＰＵ１２での演算結果等を一時的に格納する記憶装置である。また、ＲＡＭ１３には、ＣＩＳ１５により生成された画像データも格納される。ＲＯＭ１４は、本実施形態に係る画像読取装置１における各種制御プログラムやデータが格納されている。従って、ＲＯＭ１４には、後述するフローチャートに関するプログラム等が格納されている。ＣＩＳ１５は、光源と受光レンズ、ＣＭＯＳイメージセンサーをキャリッジ４に一列に並べ、原稿台３の下を移動させながら原稿に光を当て、反射光をセンサーで読み取る方式のコンタクトイメージセンサである。通信インターフェイス１６は、外部装置との画像データ通信等を実行するための通信信号を送受信するために用いられる。モータ１７は、原稿台３に沿って筐体２の内側で往復動するキャリッジ４に対して駆動力を提供する。スイッチ１８は、スキャンボタン５やステータスボタン６等のそれぞれがユーザーにより押されたことを検出する。ＲＴＣ１９は、リアルタイムクロックであって、不図示のマザーボード上に実装されている計時専用のチップである。
【００２７】
従って、ＣＰＵ１２は、通信インターフェイス１６、スイッチ１８、ＲＴＣ１９等からの入力信号及び各種制御プログラム等に基づいて、ＣＩＳ１５や、通信インターフェイス１６、モータ１７等を制御する。つまり、本実施形態に係る画像読取装置１では、後述するフローチャートに関するプログラムが制御装置１１で実行されることにより、複数の目盛ＨＳ，ＬＳのうち当該画像読取装置１のステータス（エラーを含む現在の状態）を示す目盛ＨＳ，ＬＳがある位置にキャリッジ４を移動させることができる。
【００２８】
［２．第１実施形態］
次に、第１実施形態について、図を参照しつつ説明する。第１実施形態では、上記図１乃至図３を用いて説明された画像読取装置１が使用される。第１実施形態に係る画像読取装置１では、図４に表されたフローチャートのプログラムが制御装置１１により実行される。
【００２９】
そこで、図４に表されたフローチャートについて説明する。図４に表されたフローチャートのプログラムが制御装置１１により実行されると、先ず、Ｓ１１において、当該画像読取装置（本体）１のステータス（エラーを含む現在の状態）がＣＰＵ１２により取得される。Ｓ１１における当該画像読取装置（本体）１のステータス（エラーを含む現在の状態）とは、「電池弱」、「通信エラー」、「メモリフル」又は「充電エラー」のいずれか一つが対象である。
【００３０】
尚、図４に表されたフローチャートのプログラムは、ステータスボタン６が押下されたことを契機として、制御装置１１により実行されてもよい。
【００３１】
Ｓ１２では、上記Ｓ１１で取得された当該画像読取装置（本体）１のステータス（エラーを含む現在の状態）、つまり、「電池弱」、「通信エラー」、「メモリフル」又は「充電エラー」のいずれか一つのエラーに応じて、キャリッジ４の移動量がＣＰＵ１２により算出される。ＣＰＵ１２は、算出した移動量を、変数Ｋの値として、ＲＡＭ１３に記憶する。
【００３２】
Ｓ１３では、上記Ｓ１２でＲＡＭ１３に記憶された変数Ｋからモータ１７の駆動量がＣＰＵ１２により算出される。ＣＰＵ１２は、算出した駆動量を、変数Ｐの値として、ＲＡＭ１３に記憶する。
【００３３】
Ｓ１４では、上記Ｓ１３でＲＡＭ１３に記憶された変数Ｐに基づいてモータ１７を制御する。さらに、ＣＰＵ１２は、表示ランプ９を赤色点滅させる。表示ランプ９の赤色点滅は、キャリッジ４の停止位置がエラー状態の項目であることを示している。
【００３４】
具体的には、例えば、上記Ｓ１１で取得された当該画像読取装置（本体）１のステータス（エラーを含む現在の状態）として、ＲＡＭ１３の空き容量がないケースを想定する。このケースでは、上記Ｓ１１において、当該画像読取装置（本体）１のステータス（エラーを含む現在の状態）として、「メモリフル」が取得される。上記Ｓ１２では、キャリッジ４の移動量として、キャリッジ４のホームポジションから「メモリフル」の目盛ＨＳ３までの直線距離が算出される。上記Ｓ１３では、モータ１７の駆動量として、その算出された直線距離からモータ１７の回転量が算出される。上記Ｓ１４では、その算出された回転量までモータ１７が駆動される。これにより、第１実施形態に係る画像読取装置１では、図５に表すように、キャリッジ４が「メモリフル」の目盛ＨＳ３にまで移動・停止する。
【００３５】
第１実施形態に係る画像読取装置１のステータス（エラーを含む現在の状態）が「電池弱」、「通信エラー」、又は「充電エラー」の各ケースでも、同様にして、「電池弱」の目盛ＨＳ１、「通信エラー」の目盛ＨＳ２、又は「充電エラー」の目盛ＨＳ４にまでキャリッジ４が移動・停止する。
【００３６】
尚、第１実施形態における「電池弱」とは、例えば、電池残量が３０％未満の状態であるが、電池残量が３０％未満以外の状態であってもよい。
【００３７】
［３．第２実施形態］
次に、第２実施形態について、図を参照しつつ説明する。第２実施形態では、上記図１乃至図３を用いて説明された画像読取装置１が使用される。第２実施形態に係る画像読取装置１では、図６に表されたフローチャートのプログラムが制御装置１１により実行される。
【００３８】
そこで、図６に表されたフローチャートについて説明する。図６に表されたフローチャートのプログラムが制御装置１１により実行されると、先ず、Ｓ２１において、当該画像読取装置（本体）１のステータス（エラーを含む現在の状態）がＣＰＵ１２により取得される。Ｓ２１における当該画像読取装置（本体）１のステータス（エラーを含む現在の状態）は、「電池弱」、「通信エラー」、「メモリフル」又は「充電エラー」のいずれか一つが対象である。さらに、「電池残量」も対象となる。
【００３９】
尚、図６に表されたフローチャートのプログラムは、ステータスボタン６が押下されたことを契機として、制御装置１１により実行されてもよい。
【００４０】
Ｓ２２では、トリガーの発生があるか否かがＣＰＵ１２により判定される。ここで、トリガーの発生がない場合（Ｓ２２：ＮＯ）には、上記Ｓ２１に戻って、上記Ｓ２１の処理が繰り返される。これに対して、トリガーの発生である場合（Ｓ２２：ＹＥＳ）には、Ｓ２３に進む。
【００４１】
尚、トリガーの発生とは、例えば、日付が変わる時をいうが、以下（１）〜（１０）のいずれとしてもよい。
（１）スキャンボタン５又はステータスボタン６が押下された時。
（２）スキャンボタン５又はステータスボタン６の押下が所定時間維持された時。
（３）一定時間毎の定期的なトリガー信号が発生した時。
（４）最終操作時から一定時間経過後に働くオートパワーオフ機能が動作した時。
（５）一定時間毎に検出される電池残量又はメモリ残量が所定量まで減少した時。
（６）外部装置からの通信要求データを受信した時。
（７）電源のオンされた時又はオフされた時。
（８）スキャニングが完了した時。
（９）エラーが発生した時。
（１０）指定時刻が経過した時。
【００４２】
Ｓ２３では、上記Ｓ１１で取得された当該画像読取装置（本体）１のステータス（エラーを含む現在の状態）の種別が「電池残量」であるか否かがＣＰＵ１２により判定される。
【００４３】
ここで、上記Ｓ１１で取得された当該画像読取装置（本体）１のステータス（エラーを含む現在の状態）の種別が「電池残量」である場合（Ｓ２３：ＹＥＳ）には、「電池残量」の確認指示を行うため、Ｓ２４に進む。
【００４４】
Ｓ２４では、ＣＰＵ１２は、上記Ｓ２１で取得された当該画像読取装置（本体）１のステータス（エラーを含む現在の状態）から「電池残量」の百分率を求める。さらに、その「電池残量」の百分率に応じたキャリッジ４の移動量がＣＰＵ１２により算出される。そして、ＣＰＵ１２は、算出した移動量を、変数Ｋの値として、ＲＡＭ１３に記憶する。その後は、Ｓ２６に進む。
【００４５】
これに対して、上記Ｓ１１で取得された当該画像読取装置（本体）１のステータス（エラーを含む現在の状態）の種別が「電池残量」でない場合（Ｓ２３：ＮＯ）、つまり、「電池弱」、「通信エラー」、「メモリフル」又は「充電エラー」のいずれかの一つのエラーの場合には、エラー表示指示を行うため、Ｓ２５に進む。
【００４６】
Ｓ２５では、上記Ｓ１１で取得された当該画像読取装置（本体）１のステータス（エラーを含む現在の状態）、つまり、「電池弱」、「通信エラー」、「メモリフル」又は「充電エラー」のいずれか一つのエラーに応じて、キャリッジ４の移動量がＣＰＵ１２により算出される。ＣＰＵ１２は、算出した移動量を、変数Ｋの値として、ＲＡＭ１３に記憶する。その後は、Ｓ２６に進む。
【００４７】
Ｓ２６では、上記Ｓ２４又は上記Ｓ２５でＲＡＭ１３に記憶された変数Ｋからモータ１７の駆動量がＣＰＵ１２により算出される。ＣＰＵ１２は、算出した駆動量を、変数Ｐの値として、ＲＡＭ１３に記憶する。
【００４８】
Ｓ２７では、上記Ｓ２６でＲＡＭ１３に記憶された変数Ｐに基づいてモータ１７を制御する。さらに、上記Ｓ２４を経由して当該Ｓ２７が実行される場合には、ＣＰＵ１２は、表示ランプ８を黄色点滅させる。一方、上記Ｓ２５を経由して当該Ｓ２７が実行される場合には、ＣＰＵ１２は、表示ランプ９を赤色点滅させる。
【００４９】
具体的には、例えば、上記Ｓ２１で取得された当該画像読取装置（本体）１のステータス（エラーを含む現在の状態）として、「電池残量」が２５％であるケースを想定する。このケースでは、上記Ｓ２４において、キャリッジ４の移動量として、キャリッジ４のホームポジションから「２５％」の目盛ＬＳ２までの直線距離が算出される。上記Ｓ２６では、モータ１７の駆動量として、その算出された直線距離からモータ１７の回転量が算出される。上記Ｓ２７では、その算出された回転量までモータ１７が駆動される。これにより、第２実施形態に係る画像読取装置１では、図７に表すように、キャリッジ４が「２５％」の目盛ＬＳ２にまで移動・停止する。このとき、表示ランプ８が黄色点滅となる。表示ランプ８の黄色点滅は、キャリッジ４の停止位置が「電池残量」の百分率であることを示している。
【００５０】
これに対して、例えば、上記Ｓ２１で取得された当該画像読取装置（本体）１のステータス（エラーを含む現在の状態）として、ＲＡＭ１３の空き容量がないケースを想定する。このケースでは、上記Ｓ２５において、キャリッジ４の移動量として、キャリッジ４のホームポジションから「メモリフル」の目盛ＨＳ３までの直線距離が算出される。上記Ｓ２６では、モータ１７の駆動量として、その算出された直線距離からモータ１７の回転量が算出される。上記Ｓ２６では、その算出された回転量までモータ１７が駆動される。これにより、第２実施形態に係る画像読取装置１では、上記図５に表すように、キャリッジ４が「メモリフル」の目盛ＨＳ３にまで移動・停止する。このとき、表示ランプ９が赤色点滅となる。表示ランプ９の赤色点滅は、キャリッジ４の停止位置がエラー状態の項目であることを示している。
【００５１】
第２実施形態に係る画像読取装置１のステータス（エラーを含む現在の状態）が「電池弱」、「通信エラー」、又は「充電エラー」の各ケースでも、同様にして、「電池弱」の目盛ＨＳ１、「通信エラー」の目盛ＨＳ２、又は「充電エラー」の目盛ＨＳ４にまでキャリッジ４が移動・停止する。
【００５２】
尚、第２実施形態における「電池弱」とは、例えば、電池残量が３０％未満の状態であるが、電池残量が３０％未満以外の状態であってもよい。
【００５３】
［４．第３実施形態］
次に、第３実施形態について、図を参照しつつ説明する。第３実施形態に係る画像読取装置は、後述する相違点を除いて、上記図１乃至図３を用いて説明された画像読取装置１と同じである。従って、上記図１乃至図３を用いて説明された画像読取装置１と同じ構成については、上記図１乃至図３で使用された符号と同じ符号を付して説明する。
【００５４】
尚、相違点としては、図９に表すように、原稿台３の縁辺３Ａ外の左において、各表示ランプ２１，２２，２３を有している点である。各表示ランプ２１，２２，２３は、ダイオードによるカラー発光が可能である。
【００５５】
第３実施形態に係る画像読取装置１では、図８に表されたフローチャートのプログラムが制御装置１１により実行される。そこで、図８に表されたフローチャートについて説明する。図８に表されたフローチャートのプログラムが制御装置１１により実行されると、先ず、Ｓ３１において、カウンタに「０」がＣＰＵ１２により代入される。尚、カウンタは、ＲＡＭ１３に確保される。
【００５６】
Ｓ３２では、ステータスボタン６が押下されたか否かをＣＰＵ１２により判定される。ここで、ステータスボタン６が押下されていない場合（Ｓ３２：ＮＯ）には、Ｓ３２自身に戻って、ステータスボタン６が押下されたか否かの判定がＣＰＵ１２により繰り返される。これに対して、ステータスボタン６が押下された場合（Ｓ３２：ＹＥＳ）には、Ｓ３３に進む。
【００５７】
Ｓ３３では、ＣＰＵ１２によりカウンタに対して「１」がインクリメントされる。その後は、Ｓ３４に進む。
【００５８】
Ｓ３４では、カウンタの値が「３」より大きいか否かがＣＰＵ１２により判定される。ここで、カウンタの値が「３」より大きい場合（Ｓ３４：ＹＥＳ）には、Ｓ３５に進む。
【００５９】
Ｓ３５では、カウンタに「０」がＣＰＵ１２により代入される。その後は、Ｓ３６に進む。
【００６０】
これに対して、カウンタの値が「３」以下の場合（Ｓ３４：ＮＯ）には、Ｓ３６に進む。Ｓ３６では、ステータスボタン６が押下されたか否かがＣＰＵ１２により判定される。ここで、ステータスボタン６が押下された場合（Ｓ３６：ＹＥＳ）には、上記Ｓ３３に戻って、上記Ｓ３３以降の処理が繰り返される。
【００６１】
これに対して、ステータスボタン６が押下されていない場合（Ｓ３６：ＮＯ）には、Ｓ３７に進む。尚、Ｓ３６では、ＣＰＵ１２は、ステータスボタン６の直前の押下時点から一定時間が経過すると、ステータスボタン６が押下されていないと判定する。
【００６２】
Ｓ３７では、当該画像読取装置（本体）１のステータス（エラーを含む現在の状態）がＣＰＵ１２により取得される。Ｓ３７における当該画像読取装置（本体）１のステータス（エラーを含む現在の状態）は、「電池弱」、「通信エラー」、「メモリフル」及び「充電エラー」のエラーのうち、直前の一つのエラーが対象である。さらに、「電池残量」や「メモリ残量」も対象である。その後は、Ｓ３８に進む。
【００６３】
Ｓ３８では、カウンタの値が「１」、「２」又は「３」のいずれであるかがＣＰＵ１２により判定される。
【００６４】
ここで、カウンタの値が「１」である場合には、直前のエラー表示指示を行うため、Ｓ３９に進む。Ｓ３９では、上記Ｓ３７で取得された当該画像読取装置（本体）１のステータス（エラーを含む現在の状態）、つまり、「電池弱」、「通信エラー」、「メモリフル」又は「充電エラー」のいずれかの一つの直前のエラーに応じて、キャリッジ４の移動量がＣＰＵ１２により算出される。ＣＰＵ１２は、算出した移動量を、変数Ｋの値として、ＲＡＭ１３に記憶する。その後は、Ｓ４２に進む。
【００６５】
あるいは、カウンタの値が「２」である場合には、「電池残量」の確認指示を行うため、Ｓ４０に進む。Ｓ４０では、ＣＰＵ１２は、上記Ｓ３７で取得された当該画像読取装置（本体）１のステータス（エラーを含む現在の状態）から「電池残量」の百分率を求める。さらに、その「電池残量」の百分率に応じたキャリッジ４の移動量がＣＰＵ１２により算出される。そして、ＣＰＵ１２は、算出した移動量を、変数Ｋの値として、ＲＡＭ１３に記憶する。その後は、Ｓ４２に進む。
【００６６】
あるいは、カウンタの値が「３」である場合には、メモリ残量表示指示を行うため、Ｓ４１に進む。Ｓ４１では、ＣＰＵ１２は、上記Ｓ３７で取得された当該画像読取装置（本体）１のステータス（エラーを含む現在の状態）からＲＡＭ１３の「メモリ残量」の百分率を求める。さらに、その「メモリ残量」の百分率に応じたキャリッジ４の移動量がＣＰＵ１２により算出される。そして、ＣＰＵ１２は、算出した移動量を、変数Ｋの値として、ＲＡＭ１３に記憶する。その後は、Ｓ４２に進む。
【００６７】
Ｓ４２では、上記Ｓ３９、上記Ｓ４０、又は上記Ｓ４１のいずれかでＲＡＭ１３に記憶された変数Ｋから、モータ１７の駆動量がＣＰＵ１２により算出される。ＣＰＵ１２は、算出した駆動量を、変数Ｐの値として、ＲＡＭ１３に記憶する。
【００６８】
Ｓ４３では、上記Ｓ４２でＲＡＭ１３に記憶された変数Ｐに基づいてモータ１７を制御する。さらに、上記Ｓ３９を経由して当該Ｓ４３が実行される場合には、ＣＰＵ１２は、表示ランプ２１を点滅させる。表示ランプ２１の点滅は、キャリッジ４の位置が直前のエラー状態の項目であることを示している。あるいは、上記Ｓ４０を経由して当該Ｓ４３が実行される場合には、ＣＰＵ１２は、表示ランプ２２を点滅させる。表示ランプ２２の点滅は、キャリッジ４の位置が「電池残量」の百分率であることを示している。あるいは、上記Ｓ４１を経由して当該Ｓ４３が実行される場合には、ＣＰＵ１２は、表示ランプ２３を点滅させる。表示ランプ２３の点滅は、キャリッジ４の位置が「メモリ残量」の百分率であることを示している。
【００６９】
具体的には、カウンタの値が「１」であって、例えば、上記Ｓ３７で取得された当該画像読取装置（本体）１のステータス（エラーを含む現在の状態）の一つとして、直前のエラーが「通信エラー」であるケースを想定する。このケースでは、上記Ｓ３９において、キャリッジ４の移動量として、キャリッジ４のホームポジションから「通信エラー」の目盛ＨＳ２までの直線距離が算出される。上記Ｓ４２では、モータ１７の駆動量として、その算出された直線距離からモータ１７の回転量が算出される。上記Ｓ４３では、その算出された回転量までモータ１７が駆動される。これにより、第３実施形態に係る画像読取装置１では、キャリッジ４が「通信エラー」の目盛ＨＳ２にまで移動・停止する。このとき、表示ランプ２１が点滅となる。表示ランプ２１の点滅は、キャリッジ４の停止位置が直前のエラー状態の項目であることを示している。
【００７０】
第３実施形態では、直前のエラーが「電池弱」、「メモリフル」、又は「充電エラー」のいずれかのケースでも、同様にして、「電池弱」の目盛ＬＳ１、「メモリフル」の目盛ＨＳ３、又は「充電エラー」の目盛ＨＳ４にまでキャリッジ４が移動・停止する。
【００７１】
尚、第３実施形態における「電池弱」とは、例えば、電池残量が３０％未満の状態であるが、電池残量が３０％未満以外の状態であってもよい。
【００７２】
あるいは、カウンタの値が「２」であって、例えば、上記Ｓ３７で取得された当該画像読取装置（本体）１のステータス（エラーを含む現在の状態）の一つとして、「電池残量」が２５％であるケースを想定する。このケースでは、上記Ｓ４０において、キャリッジ４の移動量として、キャリッジ４のホームポジションから「２５％」の目盛ＬＳ２までの直線距離が算出される。上記Ｓ４２では、モータ１７の駆動量として、その算出された直線距離からモータ１７の回転量が算出される。上記Ｓ４３では、その算出された回転量までモータ１７が駆動される。これにより、第３実施形態に係る画像読取装置１では、キャリッジ４が「２５％」の目盛ＬＳ２にまで移動・停止する。このとき、表示ランプ２２が点滅となる。表示ランプ２２の点滅は、キャリッジ４の停止位置が「電池残量」の百分率であることを示している。
【００７３】
あるいは、カウンタの値が「３」であって、例えば、上記Ｓ３７で取得された当該画像読取装置（本体）１のステータス（エラーを含む現在の状態）の一つとして、「メモリ残量」が７５％であるケースを想定する。このケースでは、上記Ｓ４０において、キャリッジ４の移動量として、キャリッジ４のホームポジションから「７５％」の目盛ＬＳ４までの直線距離が算出される。上記Ｓ４２では、モータ１７の駆動量として、その算出された直線距離からモータ１７の回転量が算出される。上記Ｓ４３では、その算出された回転量までモータ１７が駆動される。これにより、第３実施形態に係る画像読取装置１では、図９に表すように、キャリッジ４が「７５％」の目盛ＬＳ４にまで移動・停止する。このとき、表示ランプ２３が点滅となる。表示ランプ２３の点滅は、キャリッジ４の停止位置が「メモリ残量」の百分率であることを示している。
【００７４】
［５．まとめ］
すなわち、第１乃至第３実施形態に係る画像読取装置１では、複数の目盛ＨＳ，ＬＳのうち当該画像読取装置１のステータスを示す目盛がある位置にキャリッジ４を移動させることから、ディスプレイを具備しなくともユーザーにステータス（エラーを含む現在の状態）を知らせることができる（図５、図７、及び図９参照）。
【００７５】
また、第２実施形態に係る画像読取装置１では、複数の目盛ＨＳ，ＬＳのうち当該画像読取装置１のステータスを示す目盛がある位置にキャリッジ４を移動させることを、トリガーにより開始することから（Ｓ２２：ＹＥＳ）、適切なタイミングで、ユーザーにステータス（エラーを含む現在の状態）を知らせることができる。
【００７６】
また、第３実施形態に係る画像読取装置１では、ステータスボタン６の押下がトリガーであることから（Ｓ３３，Ｓ３６）、ユーザーにステータス（エラーを含む現在の状態）を知らせる適切なタイミングを、ユーザー自身が決めることができる。
【００７７】
また、第２実施形態に係る画像読取装置１では、当該画像読取装置１のエラー発生が起きたことをトリガーの発生とすれば（Ｓ２２：ＹＥＳ）、エラーが起きた直後の適切なタイミングで、ユーザーにステータス（エラー）を知らせることができる。
【００７８】
また、第３実施形態に係る画像読取装置１では、ステータスボタン６の押下回数（１回、２回、又は３回）に対応する種別のステータスを扱うことから（Ｓ３８）、ユーザーに適切なタイミングで知らせるステータス（エラーを含む現在の状態）の種別を、ユーザー自身が決めることができる。
【００７９】
［６．その他］
尚、本発明は上記実施形態に限定されるものでなく、その趣旨を逸脱しない範囲で様々な変更が可能である。
例えば、ステータスボタン６に代えて、図１０に表すように、バッテリーボタン６Ａやメモリーボタン６Ｂを設けてもよい。このようなケースは、バッテリーボタン６Ａが押下されると、第３実施形態の上記Ｓ３８の判定でカウンタの値が「２」である場合と同様であり、「電池残量」の百分率がキャリッジ４の移動・停止により表示される。また、メモリーボタン６Ｂが押下されると、第３実施の形態の上記Ｓ３８の判定でカウンタの値が「３」である場合と同様であり、「メモリ残量」の百分率がキャリッジ４の移動・停止により表示される。
【００８０】
従って、このようなケースでは、バッテリーボタン６Ａやメモリーボタン６Ｂのうち押下が行われたボタンに対応する種別（「電池残量」又は「メモリ残量」）のステータスを扱うことから、ユーザーに適切なタイミングで知らせるステータス（エラーを含む現在の状態）の種別（「電池残量」又は「メモリ残量」）を、ユーザー自身が決めることができる。
【符号の説明】
【００８１】
１    画像読取装置
２    筐体
３    原稿台
３Ａ  原稿台の縁辺
４    キャリッジ
６    ステータスボタン
６Ａ  バッテリーボタン
６Ｂ  メモリーボタン
１２    ＣＰＵ
１３    ＲＡＭ
１４    ＲＯＭ
ＨＳ    複数の目盛
ＬＳ    複数の目盛
【図１】
2015177507.tif 000003
【図２】
2015177507.tif 000004
【図３】
2015177507.tif 000005
【図４】
2015177507.tif 000006
【図５】
2015177507.tif 000007
【図６】
2015177507.tif 000008
【図７】
2015177507.tif 000009
【図８】
2015177507.tif 000010
【図９】
2015177507.tif 000011
【図１０】
2015177507.tif 000012